(57)【要約】      （修正有）【課題】食品が輸送される包装容器に使用され、特定の波長域の光を輸送中の食品に照射して、食品の品質を高める照明装置を提供する。【解決手段】食品を輸送する包装容器に使用される照明装置１であって、食品に光を照射する発光体２と、前記発光体２に電力を供給して発光させる供給源と、前記発光体２と前記供給源との間を絶縁する絶縁体４と、熱収縮することによって、前記絶縁体４を介して前記発光体２及び前記供給源を互いに押圧する押圧部材５とを備え、前記絶縁体４を引き抜くと、前記供給源と前記発光体２とが接触して前記発光体２が発光することを特徴とする照明装置１。【選択図】図２
2016216123.tif 000002
【特許請求の範囲】
【請求項１】
食品を輸送する包装容器に使用される照明装置であって、
食品に光を照射する発光体と、
前記発光体に電力を供給して発光させる供給源と、
前記発光体と前記供給源との間を絶縁する絶縁体と、
熱収縮することによって、前記絶縁体を介して前記発光体及び前記供給源を互いに押圧する押圧部材とを備え、
前記絶縁体を引き抜くと、前記供給源と前記発光体とが接触して前記発光体が発光することを特徴とする照明装置。
【請求項２】
前記包装容器に接着する接着部材をさらに備えることを特徴とする請求項１記載の照明装置。
【請求項３】
前記絶縁体を引き抜いた状態において、前記押圧部材が、前記発光体の発光面以外を覆うものであることを特徴とする請求項１又は２記載の照明装置。
【請求項４】
前記発光面を覆う透光材をさらに備え、
前記透光材が熱収縮性を具備することを特徴とする請求項３記載の照明装置。
【請求項５】
前記発光体が、ＬＥＤであることを特徴とする請求項１、２、３又は４記載の照明装置。
【発明の詳細な説明】
【技術分野】
【０００１】
この発明は、例えば食品を輸送する包装容器に使用される照明装置に関するものである。
【背景技術】
【０００２】
例えば、特許文献１に、たけのこに特定の波長域の光を当てることによって、たけのこのエグミ（苦味や渋味）の発生を抑えることが記載されているように、特定の波長域の光を食品に照射して、食品の品質を高める方法がある。
【先行技術文献】
【特許文献】
【０００３】
【特許文献１】特開２０１３−３４３９５号公報
【発明の概要】
【発明が解決しようとする課題】
【０００４】
そのため、食品の輸送時においても特定の波長域の光を照射すれば、より品質のよい食品を消費者に提供することができる。特に、上述のたけのこは、収穫後に鮮度が急速に劣化し、そのエグミの原因となるアク成分が、収穫から時間が経つにつれて増加することが分かっているので、輸送時に特定の波長域の光を照射し続けることによって、エグミの少ない品質のよいたけのこを消費者に提供することができる。
【０００５】
本願は上述した点に着目して成されたものであって、食品が輸送される包装容器に使用され、特定の波長域の光を輸送中の食品に照射して、食品の品質を高める照明装置を提供することをその主たる課題とするものである。
【課題を解決するための手段】
【０００６】
本発明の照明装置は、食品を輸送する包装容器に使用される照明装置であって、食品に光を照射する発光体と、前記発光体に電力を供給して発光させる供給源と、前記発光体と前記供給源との間を絶縁する絶縁体と、熱収縮することによって、前記絶縁体を介して前記発光体及び前記供給源を互いに押圧する押圧部材とを備え、前記絶縁体を引き抜くと、前記供給源と前記発光体とが接触して前記発光体が発光することを特徴とする。
【０００７】
このようなものであれば、熱収縮した押圧部材が、絶縁体を介して発光体及び供給源を互いに押圧するので、絶縁体を引き抜くだけで、発光体と供給源とを接触させて発光体を発光させることができ、簡便な装置構成で発光体を発光させる照明装置を製造することができる。
また、熱収縮する押圧部材によって、発光体、絶縁体及び供給源を容易に一体化することができるとともに、押圧部材を構成する熱収縮部材によっては耐水性、耐油性等の様々な機能を照明装置に持たせることもできる。
【０００８】
本発明の照明装置の具体的な一態様としては、前記包装容器に接着する接着部材をさらに備えるものを挙げることができる。
【０００９】
このようなものであれば、照明装置を容易に包装容器に接着させることができ、本発明の照明装置を具備した包装容器を簡便に製造することができる。
【００１０】
本発明の照明装置の具体的な一態様としては、前記絶縁体を引き抜いた状態において前記押圧部材が、前記発光体の発光面以外を覆うものを挙げることができる。
【００１１】
このようなものであれば、発光時に、発光体の発光面以外の部分が押圧部材で覆われているので、食品を包装容器に梱包する梱包作業や輸送時の振動等によって、例えば、食品が供給源や絶縁体に当たり、発光体と供給源との接点部分がずれてしまったり、食品の衛生状態が悪くなったりすることを防止できる。
【００１２】
また上述した食品の衛生状態を保つ本発明の照明装置の具体的な一態様としては、前記発光面を覆う透光材をさらに備え、前記透光材が熱収縮性を具備するものを挙げることができる。
【００１３】
このようなものであれば、押圧部材から露出する発光体の発光面も透光材で覆われているので、発光面に食品が接触することを防止して、食品の衛生状態をよりよく保つことができる。また、透光材が熱収縮性を具備するので、透光材を熱収縮させることによって発光面と透明光材とを密着させることができ、発光面から射出される光の一部が透光材で反射／散乱されることを防いで、発光体から射出される光を無駄なく食品に照射することができる。
【００１４】
上述した本発明の発光体としては、ＬＥＤを用いることが好ましい。
【００１５】
ＬＥＤは、電球等と比較すると省電力かつ長寿命であるから、輸送時にかかるコストを低減することができるとともに、輸送の途中で発光体が発光しなくなることを防止できる。
【発明の効果】
【００１６】
本発明によれば、食品が輸送される包装容器に使用され、特定の波長域の光を輸送中の食品に照射して、食品の品質を高める照明装置を提供するので、食品をより好ましい状態で消費者のもとに届けることができる。
【図面の簡単な説明】
【００１７】
【図１】第１実施形態における照明装置が搭載された包装容器の斜視図。
【図２】第１実施形態における照明装置の斜視図。
【図３】第１実施形態における照明装置のＡＡ断面図。
【図４】第１実施形態における照明装置の展開図。
【図５】第１実施形態の変形態様における照明装置のＡＡ断面図。
【図６】第２実施形態における照明装置の斜視図。
【図７】第２実施形態における照明装置の展開斜視図。
【発明を実施するための形態】
【００１８】
本発明の照明装置１の一実施形態について、以下図面を用いて説明する。
【００１９】
本発明の照明装置１は、例えば食品輸送時に食品２００を収容する包装容器１００に用いられるものであって、例えば図１に示すように、一面に蓋１０１が設けられた筐体形状をなす包装容器１００の該蓋１０１の内面に複数設置されたものである。そして、蓋１０１を閉めた状態で、包装容器１００内部に収容された食品２００に特定波長域の光を照射する。なお、以下本実施形態では、食品２００として、たけのこを例に挙げて説明する。
【００２０】
＜第１実施形態＞
第１実施形態の照明装置１は、食品２００（たけのこ）に光を照射する発光体２と、発光体２に電力を供給して発光させる供給源３と、発光体２と供給源３との間を絶縁する絶縁体４と、発光体２を、絶縁体４を介して供給源３に押圧させるとともに、供給源３を、絶縁体４を介して発光体２に押圧させる押圧部材５とを備える。
【００２１】
発光体２は、図２及び図３に示すように、例えば砲弾型のＬＥＤで構成され、本実施形態では５５０ｎｍ〜８１０ｎｍ程度の波長域の光を射出するものである。この砲弾型ＬＥＤは、ＬＥＤ本体が配置されたリードフレームと、リードフレームを覆う砲弾型の透明樹脂カバーと、リードフレームから外部に向けて延伸するリード線６（６Ａ、６Ｂ）とを備える。そして、透明樹脂カバーがＬＥＤ本体の光を射出する発光面Ｓとなる。
【００２２】
供給源３は、発光体２に電力を供給して発光させるものであって、本実施形態では、図２及び図３に示すように、円板形状をなすボタン電池を用いており、上面が負極、下面が正極となっている。なお、供給源３はボタン電池に限られず、発光体２との組み合わせで適宜自由に変更することができるが、照明装置１が大型化しないように小型なものを用いることが好ましい。
【００２３】
そして、供給源３の上面及び下面には、図３及び図４に示すように、それぞれ絶縁部材で構成された第１絶縁体４Ａと第２絶縁体４Ｂとが配置されており、この絶縁体４Ａ、供給源３及び絶縁体４Ｂをこの順で挟むように補強板７Ａ、７Ｂが配置されている。
【００２４】
補強板７Ａ及び７Ｂは、照明装置１を補強するものであって、ともに円板形状をなす例えば厚紙等で構成されている。補強板７Ａの略中央部には、発光体２のリード線６Ａ、６Ｂを挿通するための貫通孔がそれぞれ設けられている。
【００２５】
第１絶縁体４Ａは、発光体２と供給源３とを絶縁するものであって、絶縁部材で構成されるとともに、供給源３の上面と同じ表面積をなす円板状部材で構成されている。そして、リード線のいずれか、本実施形態ではリード線６Ａを挿通するための貫通孔が設けられている。そして、この貫通孔に挿通されたリード線６Ａと供給源３の上面（負極）とを電気的に接続するとともに、発光体２のリード線６Ｂと供給源３の上面（負極）とを絶縁する。
【００２６】
第２絶縁体４Ｂは、発光体２と供給源３とを絶縁するものであって、絶縁部材で構成されるとともに、供給源３の下面を覆う板状形状をなすものである。そして、第２絶縁体４Ｂの下方まで延伸した発光体２のリード線６Ｂと供給源３の下面（正極）とを絶縁する。この第２絶縁体４Ｂは、長手方向の一方が、補強板７Ａ及び補強板７Ｂよりも延伸するように設けられている。
【００２７】
なお、本実施形態では照明装置１をさらに補強するための半円筒形状の補強板７Ｃが、補強板７Ａ、第１絶縁体４Ａ、供給源３、第２絶縁体４Ｂ及び補強板７Ｂの側周面を覆うように起立して配置されている。
【００２８】
しかして、押圧部材５は熱収縮して、絶縁体４を介して発光体２及び供給源３を互いに押圧させるものである。以下に押圧部材５の詳細について説明する。
【００２９】
押圧部材５は、例えば熱収縮性フィルムや熱収縮性チューブ等の熱収縮性部材が熱収縮して構成されるものであり、本実施形態には、図４に示すように、補強板７Ａ、絶縁体４Ａ、供給源３、絶縁体４Ｂ、補強板７Ｂ及び補強板７Ｃを中空の熱収縮性チューブの内部にいれた状態で、熱収縮性チューブを熱収縮することによって構成されている。なお、補強板７Ａの上方には、発光体２の発光面Ｓを露出させるための貫通孔が形成されている。
なお、熱収縮性チューブの代わりに熱収縮性フィルムを用いる場合には、対向するように配置された一対の熱収縮性フィルムの間に、補強板７Ａ、絶縁体４Ａ、供給源３、絶縁体４Ｂ、補強板７Ｂ及び補強板７Ｃを挟むように配置して、熱収縮性フィルムを熱収縮することによって構成することができる。
【００３０】
上述のように熱収縮して構成された押圧部材５によって、補強板７Ａから補強板７Ｂに向かって弾性力が働くとともに、補強板７Ｂから補強板７Ａに向かって弾性力が働き、補強板７Ａ、第１絶縁体４Ａ、供給源３、第２絶縁体４Ｂ及び補強板７Ｂが互いに隣り合う部材を押圧する。そのため、補強板７ｂの上面に配置されたリード線６Ｂが、第２絶縁体４Ｂを介して供給源３の下面（正極）を押圧するとともに、供給源３の下面（正極）が、第２絶縁体４Ｂを介してリード線６Ｂを押圧する。
【００３１】
このとき、図２又は図３に示すように、熱収縮性チューブが熱収縮して構成された押圧部材５の一端部は、開口を塞ぐように接着されており、押圧部材５の他端部は、第２絶縁体４Ｂの先端が熱収縮性チューブから露出するので開口している。
【００３２】
この状態で、第２絶縁体４Ｂを引き抜くと、押圧部材５の弾性力によってリード線６Ｂと供給源３の下面（正極）とが押圧接触して、供給源３から発光体２に電力が供給されて発光体２が発光する。
【００３３】
上述のように構成された第１実施形態における照明装置１は、以下のような格別の効果を奏する。
【００３４】
つまり、熱収縮した押圧部材５が、絶縁体４を介して発光体２及び供給源３を互いに押圧するので、絶縁体４を引き抜くだけで、発光体２と供給源３とを接触させて発光体２を発光させることができ、簡便な装置構成で発光体２を発光させる照明装置１を製造することができる。
【００３５】
この照明装置１を用いて、食品、特にたけのこを輸送すれば、輸送時においても、発光体２から射出された５５０ｎｍ〜８１０ｎｍ程度の波長域の光をたけのこに照射することができるので、たけのこのエグミ（苦味及び渋味）の主たる要因であるアク成分、例えばシュウ酸、ホモゲンチジン酸とその配糖体等の増加を抑えることができ、この包装容器１００に入れられて輸送されているたけのこは、収穫時と同じような風味を楽しむことができる。
【００３６】
さらに、熱収縮する押圧部材５によって、発光体、絶縁体及び供給源を容易に一体化することができるとともに、押圧部材５を構成する熱収縮性チューブに、耐水性、耐油性等の様々な機能を持たせれば、このような機能を有する照明装置１を製造することができる。
【００３７】
さらに、発光体２の発光面Ｓ以外の部分が押圧部材５で覆われているので、食品２００を包装容器１００に梱包する梱包作業や輸送時の振動等によって、食品２００が照明装置１に当たり、発光体２と供給源３との接点部分がずれてしまったり、食品１００が供給源３や絶縁体４に触れて衛生状態が悪くなったりすることを防止できる。
【００３８】
加えて、発光体２にＬＥＤを用いているので、ＬＥＤは、電球等に比べて省電力かつ長寿命であるから、輸送時にかかるコストを低減することができるとともに、輸送の途中で発光体２が発光しなくなることを防止することができる。
【００３９】
上記食品２００の衛生状態を良好に保つ態様としては、例えば図５に示すように、発光体２の発光面Ｓを覆う透光材９をさらに備えるものを挙げることができる。このように透光材９で発光体２の発光面Ｓを覆えば、発光面Ｓに食品が接触することを防止して、食品の衛生状態をよりよく保つことができる。また、透光材９が熱収縮性を具備すれば、透光材９を熱収縮させて発光面Ｓと透明光材９とを密着させることができ、発光面Ｓから射出される光の一部が透光材で反射／散乱されることを防ぎ、発光体２から射出される光を無駄なく食品に照射することができる。
【００４０】
さらに、図５に示すように、照明装置１の下面に、包装容器１００に接着する接着部材９を設ければ、照明装置１を容易に包装容器１００に接着させることができ、本発明の照明装置１を具備した包装容器１００を簡便に製造することができる。
【００４１】
＜第２実施形態＞
次に第２実施形態における照明装置２０について説明する。
なお、第１実施形態と同じ部分には同一の符号を付し、説明を省略する。
【００４２】
第２実施形態の照明装置２０は、図６に示すように、発光体２から射出される光を所望の位置に導く導光ファイバー２１をさらに備えるものであって、図７に示すように、この導光ファイバー２１の終端２１ａが、発光体２の発光面Ｓに対向するように配置された状態で、導光ファイバー２１の終端部と発光体２とを熱収縮性チューブ２２で覆い、熱収縮性チューブ２２を熱収縮させることによって、導光ファイバー２１と発光体２とを一体化させる。なお、このとき発光体２の発光面Ｓが上面のみとなるように、発光体２の側周面は遮光部材で覆われている。
【００４３】
発光体２の発光面Ｓから射出された光は、導光ファイバー２１内を通過して先端部２１ｂまで導かれ、導光ファイバー２１の先端部２１ｂから外部に向けて射出される。なお、この導光ファイバー２１としては、例えばプラスチックファイバーを用いることができる。
【００４４】
上述のように構成された第２実施形態の照明装置２０では、導光ファイバー２１を備えるので、所望の位置に発光体２から射出される光を導くことができる。そのため、第１実施形態の照明装置１では、包装容器１００内において食品同士が重なり合って影になる部分が生じてしまったとしても、その部分に光を照射することが難しかったが、第２実施形態の照明装置２０では、この影になる部分に導光ファイバー２１を用いて容易に光を照射できるので、包装容器１００全体において光が届かない場所（影の部分）をなくして、食品全体に均一に光を照射することができ、光による効果（たけのこであれば、エグミ抑制効果等）をより高めることができる。
【００４５】
なお、導光ファイバーの構成は上述のものに限られず、例えば導光ファイバーの側面から光が漏出するように構成したものであってもよい。このように導光ファイバーの側面から光が漏出する構成の一例としては、側面にスリットを設けたものが挙げられるが、この構成に限られず、導光ファイバー自体を透光性を有する素材で構成したもの等、導光ファイバーの側面から光が漏出するものであれば適宜自由に用いることができる。このようなものであれば、スリットから漏出する光が線状をなすので、導光ファイバーの先端から射出される光よりも広範囲に光を照射することができ、より少ない数の照明装置で収容容器に収容された食品全体に光を照射して、上述の光による効果をさらに高めることができる。
【００４６】
なお、包装容器１００に使用される照明装置は、食品によって適宜変更することができ、例えば第１実施形態の照明装置又は第２実施形態の照明装置のみを用いてもよいし、第１実施形態の照明装置と第２実施形態の照明装置を両方用いてもよい。
【００４７】
本発明は上記実施形態に限られたものではない。
【００４８】
例えば、包装容器は上記実施形態に限られたものではなく、その形状は、収容する食品に合わせて適宜変更することができる。また、絶縁体や補強板等も照明装置の形状に合わせて適宜変更することができる。
【００４９】
また、上述した実施形態では、絶縁体が、発光体のリード線の一方を供給源に接続した状態で、リード線の他方を供給源と絶縁するものであったが、リード線の両方を供給源から絶縁するものであってもよい。
さらに、リード線を用いずに例えば補強板等に電極をパターニングしたものであってもよい。この場合、パターニングした電極の間を絶縁するように絶縁体を配置することが考えられる。
【００５０】
また、発光体が発する波長は、包装容器に収容される食品に合わせて適宜変更することができ、また、発光体は砲弾型ＬＥＤに限られず、表面実装型のＬＥＤであってもよいし、また、ＬＥＤ以外にも、例えば、特定の波長域の光を選択的に透過するフィルムが貼られた電球、冷陰極管等や、有機ＥＬシート等を用いることもできる。
【００５１】
照明装置が包装容器に接着される部位も、上記実施形態に限られず、例えば包装容器の四方に照明装置を配置して食品に光を照射するものであってもよいし、包装容器の大きさや照射する光の強度に合わせて適宜自由に設計することができる。
【００５２】
本発明は、その他その趣旨に反しない範囲で様々な変形が可能である。
【符号の説明】
【００５３】
１・・・照明装置
２・・・発光体
３・・・供給源
４・・・絶縁部材
５・・・押圧部材
【図１】
2016216123.tif 000003
【図２】
2016216123.tif 000004
【図３】
2016216123.tif 000005
【図４】
2016216123.tif 000006
【図５】
2016216123.tif 000007
【図６】
2016216123.tif 000008
【図７】
2016216123.tif 000009